【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
集積回路であって、
横方向フラックスコンデンサであって、
第１の離間された容量性フィンガーのセットを備える下部金属層と、前記第１の離間された容量性フィンガーのセットの対応する容量性フィンガーの直上に配置される第２の離間された容量性フィンガーのセットを備える上部金属層とを有する細長い容量性部分と、
前記細長い容量性部分の互いに反対の横方向側部に配置される第１及び第２の細長いダミー金属ライン部分であって、前記第１の細長いダミー金属ライン部分が電源の第１の極と前記第１の容量性フィンガーのセットとに電気的に接続され、前記第２の細長いダミー金属ライン部分が前記電源の第２の極と前記第２の容量性フィンガーのセットとに電気的に接続される、前記第１及び第２の細長いダミー金属ライン部分と、
を含む、前記横方向フラックスコンデンサを含む、集積回路。
【請求項２】
請求項１に記載の集積回路であって、
前記横方向フラックスコンデンサが、
前記第１の離間された容量性フィンガーのセットを前記第１の細長いダミー金属ライン部分に接続する前記下部金属層に位置する第１の横方向延在ハンド部分と、
前記第２の離間された容量性フィンガーのセットを前記第２の細長いダミー金属ライン部分に接続する前記上部金属層に位置する第２の横方向延在ハンド部分と、
を更に含む、集積回路。
【請求項３】
請求項２に記載の集積回路であって、
前記横方向フラックスコンデンサが、
第３の離間された容量性フィンガーのセットを前記第２の細長いダミー金属ライン部分に接続する前記下部金属層に位置する第３の横方向延在ハンド部分と、
第４の離間された容量性フィンガーのセットを前記第１の細長いダミー金属ライン部分に接続する前記上部金属層に位置する第４の横方向延在ハンド部分と、
を更に含み、
前記第３の離間された容量性フィンガーのセットが前記第４の離間された容量性フィンガーのセットの対応する容量性フィンガーの上に位置する、集積回路。
【請求項４】
請求項３に記載の集積回路であって、
前記第１及び第３の離間される容量性フィンガーのセットが互いに指間される、集積回路。
【請求項５】
請求項４に記載の集積回路であって、
前記第１及び第２の横方向延在ハンド部分が部分的に重なる関係で配置され、前記第３及び第４の横方向延在ハンド部分が部分的に重なる関係で配置される、集積回路。
【請求項６】
請求項５に記載の集積回路であって、
前記第１及び第２の細長いダミー金属ライン部分と前記細長い容量性部分とが、実質的に長手方向に同一の広がりを有し、横方向に整合される第１の端部と横方向に整合される第２の端部とを有し、
前記第１の横方向延在ハンド部分が前記第１の細長いダミー金属ライン部分の前記第１の端部に接続され、前記第３の横方向延在ハンド部分が前記第２の細長いダミー金属ライン部分の前記第２の端部に接続される、集積回路。
【請求項７】
請求項６に記載の集積回路であって、
前記第２の横方向延在ハンド部分が前記第２の細長いダミー金属ライン部分の前記第１の端部に接続され、前記第４の横方向延在ハンド部分が前記第１のダミー金属ライン部分の前記第２の端部に接続される、集積回路。
【請求項８】
請求項７に記載の集積回路であって、
前記第２及び第４の容量性フィンガーのセットが互いに指間される、集積回路。
【請求項９】
請求項１に記載の集積回路であって、
前記第１及び第２の細長いダミー金属ライン部分と前記細長い容量性部分とが、実質的に長手方向に同一の広がりを有する、集積回路。
【請求項１０】
請求項１に記載の集積回路であって、
前記第１及び第２の細長いダミー金属ライン部分が、各々、前記上部金属層の一部である上部部分と、前記下部金属層の一部である下部部分とを含む、集積回路。
【請求項１１】
請求項１０に記載の集積回路であって、
前記第１のダミー金属ライン部分の前記上部部分と前記下部部分とが、ビアにより電気的に接続される、集積回路。
【請求項１２】
請求項１に記載の集積回路であって、
前記第１及び第２の容量性フィンガーのセットが、絶縁層の対応する部分により分離される、集積回路。
【請求項１３】
横方向フラックスコンデンサを含む集積回路であって、
前記横方向フラックスコンデンサが、
容量性領域内の第１の容量性フィンガーのセットと、
前記容量性領域内の第２の容量性フィンガーのセットであって、前記第１の容量性フィンガーのセットの上に位置して前記第１の容量性フィンガーのセットに対応する、前記第２の容量性フィンガーのセットと、
前記容量性領域の第１の横方向側部に沿った第１の金属ラインであって、前記第１の容量性フィンガーのセットに伝導的に結合される、前記第１の金属ラインと、
前記容量性領域の前記第１の横方向側部に対向する前記容量性領域の第２の横方向側部に沿った第２の金属ラインであって、第２の容量性フィンガーのセットに伝導的に結合される、前記第２の金属ラインと、
前記容量性領域の前記第２の横方向側部に沿った第３の金属ラインであって、前記第２及び第３の金属ラインの間のビア接続によって前記第２の金属ラインに伝導的に結合される、前記第３の金属ラインと、
を含む、集積回路。
【請求項１４】
請求項１３に記載の集積回路であって、
前記第１の金属ラインが電源の第１の極に結合されるように構成され、前記第２の金属ラインが前記電源の第２の極に結合されるように構成される、集積回路。
【請求項１５】
請求項１３に記載の集積回路であって、
前記第１の容量性フィンガーのセットが縦方向に延在して前記第１の金属ラインに並行であり、前記第２の容量性フィンガーのセットが縦方向に延在して前記第２の金属ラインに並行である、集積回路。
【請求項１６】
請求項１３に記載の集積回路であって、
前記横方向フラックスコンデンサが、
前記第１の金属ラインの第１の縦方向端部から延在して前記第１の容量性フィンガーのセットの第１の縦方向端部に接続する第１の横方向ハンド部分と、
前記第２の金属ラインの第２の縦方向端部から延在して前記第２の容量性フィンガーのセットの第２の縦方向端部に接続する第２の横方向ハンド部分であって、前記第１の横方向ハンド部分に部分的に重なって絶縁されている、前記第２の横方向ハンド部分と、
を更に含む、集積回路。
【請求項１７】
請求項１３に記載の集積回路であって、
前記横方向フラックスコンデンサが、
前記第３の容量性フィンガーのセットと共面であって前記第３の容量性フィンガーのセットと指間され、前記第３の金属ラインに容量的に結合される第３の容量性フィンガーのセットと、
前記第２の容量性フィンガーのセットと共面であって前記第２の容量性フィンガーのセットと指間され、前記第３の容量性フィンガーのセットの上に配置されて前記第３の容量性フィンガーのセットに対応する、第４の容量性フィンガーのセットと、
前記容量性領域の前記第１の横方向側部に沿った第４の金属ラインであって、前記第４の容量性フィンガーのセットに伝導的に結合される、前記第４の金属ラインと、
を更に含む、集積回路。
【請求項１８】
請求項１７に記載の集積回路であって、
前記第３の容量性フィンガーのセットが縦方向に延在して前記第３の金属ラインに並行であり、前記第４の容量性フィンガーのセットが縦方向に延在して前記第４の金属ラインに並行である、集積回路。
【請求項１９】
請求項１７に記載の集積回路であって、
前記横方向フラックスコンデンサが、
前記第３の金属ラインの第１の縦方向端部から延在して前記第３の容量性フィンガーのセットの第１の縦方向端部に接続する第１の横方向ハンド部分と、
前記第４の金属ラインの第２の縦方向端部から延在して前記第４の容量性フィンガーのセットの第２の縦方向端部に接続する第２の横方向ハンド部分であって、前記第１の横方向ハンド部分に部分的に重なって絶縁されている、前記第２の横方向ハンド部分と、
を更に含む、集積回路。
【請求項２０】
請求項１７に記載の集積回路であって、
前記第４の金属ラインが、前記第１の金属ラインに重なり、前記第１及び第４の金属ラインの間に位置するビア接続によって前記第１の金属ラインに接続される、集積回路。